(57)【要約】【課題】掃除機本体側から又は連結管側からの抜けを抑制することが可能なサイクロンユニットを提供する。【解決手段】サイクロンユニットは、掃除機本体の吸引力により吸引される塵埃を分離するサイクロンユニットであって、掃除機本体と、掃除機本体に着脱可能に連結される連結管との間に接続可能なアタッチメント部と、アタッチメント部に配置され、掃除機本体及び連結管の少なくとも一方と係合してアタッチメント部の抜けを規制するロック機構とを備える。【選択図】図５
2020116184.tif 000002
【特許請求の範囲】
【請求項１】
掃除機本体の吸引力により吸引される塵埃を分離するサイクロンユニットであって、
前記掃除機本体と、前記掃除機本体に着脱可能に連結される連結管との間に接続可能なアタッチメント部と、
前記アタッチメント部に配置され、前記掃除機本体及び前記連結管の少なくとも一方と係合して前記アタッチメント部の抜けを規制するロック機構と
を備えるサイクロンユニット。
【請求項２】
前記ロック機構は、突起部と、前記突起部に対して係合された状態と前記突起部に対する係合が解除された状態とを切り替え可能な着脱機構と、の一方である
請求項１に記載のサイクロンユニット。
【請求項３】
前記ロック機構により前記アタッチメント部の抜けが規制された状態で、所定の中心軸を中心として前記アタッチメント部を回転可能とする回転機構を更に備える
請求項１又は請求項２に記載のサイクロンユニット。
【請求項４】
前記アタッチメント部は、ハウジングと、前記掃除機本体に接続される一端と前記ハウジングに挿入される他端とを有し前記ロック機構が配置されるパイプと、を有し、
前記所定の中心軸は、前記パイプの中心軸であり、
前記ハウジングは、前記パイプの中心軸を中心として、前記パイプに対して回転可能である
請求項３に記載のサイクロンユニット。
【請求項５】
前記回転機構は、
円筒状であり、前記ハウジングと前記パイプとの間に配置され、周方向に変形可能となるようにスリットが形成されたスリーブと、
前記スリーブを囲うように前記ハウジングに装着され、前記ハウジングに装着された状態において前記スリーブを前記パイプ側に押し付け可能なリングと、を有する
請求項４に記載のサイクロンユニット。
【請求項６】
前記回転機構は、
前記ハウジングの内面に設けられる凹部又は凸部の一方と、
前記パイプの外面に設けられ前記凹部又は凸部の一方と嵌合する凸部又は凹部と、
前記パイプのうち前記ハウジングに挿入される側の先端部が変形可能となるように前記先端部の一部に設けられる切り込み部と、を有する
請求項４に記載のサイクロンユニット。
【請求項７】
前記回転機構は、前記ハウジングと前記パイプとの間に着脱可能に係止され、前記ハウジングに対する前記パイプの抜けを規制するＣリングを有する
請求項６に記載のサイクロンユニット。
【請求項８】
前記回転機構は、前記ハウジング及び前記パイプの少なくとも一方に配置され、他方と係止して、前記ハウジングに対する前記パイプの抜けを規制する係止部を有する
請求項７に記載のサイクロンユニット。
【請求項９】
前記ロック機構は、前記アタッチメント部のうち前記掃除機本体及び前記連結管の少なくとも一方との接続部分において、前記掃除機本体及び前記連結管との接続方向に沿った所定の中心軸を中心とする円周方向に複数配置される
請求項１又は請求項２に記載のサイクロンユニット。
【発明の詳細な説明】
【技術分野】
【０００１】
本発明は、サイクロンユニットに関する。
【背景技術】
【０００２】
吸引力の低下を抑制するため、掃除機本体による集塵の手前（前工程）で別途集塵が可能なサイクロンユニットを取り付ける構成が知られている（例えば、特許文献１参照）。特許文献１に記載のサイクロンユニットは、塵埃を回収するユニット本体と、掃除機において掃除機本体と、当該掃除機本体とノズルヘッドとを連結する連結管との間に装着される流路形成管とを備える構成である。流路形成管が掃除機本体及び連結管に装着されることで、ノズルヘッドからユニット本体を介して掃除機本体に至る空気の連通路が形成される。
【先行技術文献】
【特許文献】
【０００３】
【特許文献１】特許第３１０２８６４号公報
【発明の概要】
【発明が解決しようとする課題】
【０００４】
特許文献１に記載のサイクロンユニットは、掃除機本体側又はノズルヘッド側の連結管に流路形成管を挿入し、テーパー嵌合した状態で装着される構成である。このようなサイクロンユニットでは、掃除機本体側から又は連結管側からの抜けを抑制する構成が求められている。
【０００５】
本発明は、上記に鑑みてなされたものであり、掃除機本体側から又は連結管側からの抜けを抑制することが可能なサイクロンユニットを提供することを目的とする。
【課題を解決するための手段】
【０００６】
本発明の態様に従えば、掃除機本体の吸引力により吸引される塵埃を分離するサイクロンユニットであって、前記掃除機本体と、前記掃除機本体に着脱可能に連結される連結管との間に接続可能なアタッチメント部と、前記アタッチメント部に配置され、前記掃除機本体及び前記連結管の少なくとも一方と係合して前記アタッチメント部の抜けを規制するロック機構とを備えるサイクロンユニットが提供される。
【発明の効果】
【０００７】
本発明の態様によれば、掃除機本体側から又は連結管側からの抜けを抑制することが可能なサイクロンユニットを提供することができる。
【図面の簡単な説明】
【０００８】
【図１】図１は、掃除機の一例を示す斜視図である。
【図２】図２は、掃除機にサイクロンユニットを装着した状態の一例を示す斜視図である。
【図３】図３は、サイクロンユニットの一例を示す斜視図である。
【図４】図４は、サイクロンユニットの断面構成を示す図である。
【図５】図５は、ロック機構の一例を示す断面図である。
【図６】図６は、回転機構の一例を示す分解斜視図である。
【図７】図７は、回転機構の一例を示す断面図である。
【図８】図８は、回転機構の他の例を示す分解斜視図である。
【図９】図９は、ハウジングにパイプを装着した状態の一例を示す断面図である。
【図１０】図１０は、回転機構の他の例を示す分解斜視図である。
【図１１】図１１は、回転機構を示す断面図である。
【図１２】図１２は、回転機構の他の例を示す斜視図である。
【図１３】図１３は、サイクロンユニットの他の例を示す斜視図である。
【発明を実施するための形態】
【０００９】
以下、本発明に係るサイクロンユニットの実施形態を図面に基づいて説明する。なお、この実施形態によりこの発明が限定されるものではない。また、下記実施形態における構成要素には、当業者が置換可能かつ容易なもの、あるいは実質的に同一のものが含まれる。
【００１０】
図１は、掃除機１の一例を示す斜視図である。図１に示す掃除機１は、例えばハンディクリーナである。掃除機１は、掃除機本体２と、ノズルヘッド３と、連結管４と、着脱機構５とを備えている。
【００１１】
掃除機本体２は、使用者が把持するループ状のハンドル２ａを有する。以下、掃除機本体２に対してハンドル２ａ側を上側とし、上側の反対側を下側とする。また、連結管４が延びる方向を前後方向とし、連結管４に対してノズルヘッド３側を前側、連結管４に対して掃除機本体２側を後側とする。前後方向、上下方向にそれぞれ直交する方向を左右方向とし、前側から後側を見た状態で左右を定義する。ハンドル２ａには、電動モータのオンとオフとを切り替え可能なスイッチ２ｂが設けられる。スイッチ２ｂをオンにすると、電動モータが駆動して吸引ファンが回転する。これにより、空気を吸引できるため、この吸引した空気に含まれる塵埃を集塵室のフィルタに集塵（捕捉）できる。一方、スイッチ２ｂをオフにすると、電動モータが停止して吸引ファンの回転が停止する。これにより、空気の吸引が停止する。
【００１２】
掃除機本体２は、例えば電動モータを駆動力により吸引ファンを回転させることで吸引力を生じさせる。掃除機本体２の内部の前側には、フィルタを有する集塵室が配置される。掃除機本体２の内部の後側には、吸引ファン、電動モータが配置される。掃除機本体２の前側の端部には、接続管８が設けられる。接続管８は、掃除機本体２から前方に向けて直線状に延びている。
【００１３】
掃除機本体２の後側には、バッテリ装着部２ｃが設けられる。バッテリ装着部２ｃは、電動モータ等の電源となるバッテリ２ｄが装着可能である。バッテリ２ｄとしては、例えば電動工具用のバッテリが用いられる。バッテリ２ｄは、充電式であってもよい。掃除機１は、バッテリ２ｄ以外の電源によって作動する構成であってもよい。
【００１４】
バッテリ２ｄは、バッテリ装着部２ｃに対して前後方向にスライド可能となっている。バッテリ装着部２ｃに対してバッテリ２ｄを掃除機本体２に近づく方向（前方）にスライドさせると、このバッテリ装着部２ｃに対してバッテリ２ｄがロックされる。これにより、バッテリ装着部２ｃに対してバッテリ２ｄが装着される。また、バッテリ２ｄのロックを解除するロック解除ボタン（不図示）を操作すると、バッテリ２ｄのロックが解除される。この状態でバッテリ２ｄをバッテリ装着部２ｃに対して離れる方向（後方）にスライドさせると、バッテリ２ｄがバッテリ装着部２ｃから取り外される。
【００１５】
ノズルヘッド３は、ヘッドハウジング３ａと、接続管３ｂとを有する。ヘッドハウジング３ａは、吸気を吸引可能な吸引口３ｃを有する。接続管３ｂは、ヘッドハウジング３ａに対して、例えばボールジョイント機構等を介して連結される。この場合、ヘッドハウジング３ａは、接続管３ｂに対して、連結部分を支点として上下方向及び左右方向に首振り可能となっている。接続管３ｂは、ヘッドハウジング３ａから後方に向けて直線状に延びている。
【００１６】
連結管４は、掃除機本体２の接続管８と、ノズルヘッド３の接続管３ｂとを連結する。連結管４は、前後方向に直線状に延びている。連結管４は、接続管８に連結される本体側連結部４ａと、接続管３ｂに連結されるノズル側連結部４ｂとを有する。本体側連結部４ａには、突起部７（図４等参照）が設けられる。突起部７は、着脱機構５と係合可能である。
【００１７】
着脱機構５は、掃除機本体２の接続管８に設けられる。着脱機構５は、連結管４の本体側連結部４ａが接続管８に挿入された状態で、突起部７に対して係合可能である。着脱機構５は、突起部７に係合された状態において、接続管３ｂに対する連結管４の抜けを規制する。着脱機構５の構成は、後述する。
【００１８】
図２は、掃除機１にサイクロンユニット１００を装着した状態の一例を示す斜視図である。図２に示すように、サイクロンユニット１００は、ユニット本体１０と、アタッチメント部２０と、ロック機構３０と、回転機構４０とを備える。
【００１９】
図３は、サイクロンユニット１００の一例を示す斜視図である。図４は、サイクロンユニット１００の断面構成を示す図である。図３及び図４に示すように、ユニット本体１０は、ノズルヘッド３のヘッドハウジング３ａに設けられる吸引口３ｃにおいて吸引した空気からサイクロン作用によって塵埃を分離させる。ユニット本体１０は、ベース部１１と、ダストボックス１２とを有する。
【００２０】
ベース部１１は、ロアベース１１Ｌと、ミドルベース１１Ｍと、アッパベース１１Ｕとを有する。ロアベース１１Ｌには、連結管４の本体側連結部４ａを挿し込み可能な連結側接続部２２が配置される。連結側接続部２２は、ユニット本体１０の中心軸から外れた位置に配置される。
【００２１】
ロアベース１１Ｌには、空気流入部１３が形成される。空気流入部１３は、リブ１３ａを有する。リブ１３ａは、ロアベース１１Ｌの内面に形成される。空気流入部１３は、連結側接続部２２と連通される。リブ１３ａが設けられることにより、連結側接続部２２から吸引した空気Ａに対してサイクロン作用が生じる。
【００２２】
アッパベース１１Ｕには、掃除機本体２の接続管８に接続される差し込み可能な本体側管部２１が着脱可能に設けられる。本体側管部２１は、ユニット本体１０の中心軸から外れた位置に配置される。本体側管部２１は、アッパベース１１Ｕに固定されるハウジング２３と、アッパベース１１Ｕとは分離されたパイプ２４とを有する。パイプ２４は、後述する回転機構４０を介してハウジング２３に連結される。また、パイプ２４の中心軸は、後述する中心軸ＡＸに一致する。アッパベース１１Ｕには、空気排出部１４が形成される。空気排出部１４は、本体側管部２１と連通される。
【００２３】
ミドルベース１１Ｍは、ロアベース１１Ｌの空気流入部１３とアッパベース１１Ｕの空気排出部１４とを仕切っている。ミドルベース１１Ｍは、例えば縁部がロアベース１１Ｌの内周に係止された状態で支持される。ミドルベース１１Ｍは、前後方向に貫通する貫通孔１５を有する。貫通孔１５は、中心がユニット本体１０の中心軸と一致する。ミドルベース１１Ｍの前側の面には、内筒１６が形成される。内筒１６は、貫通孔１５よりも径が大きくなっており、貫通孔１５を囲うように配置される。内筒１６の中心軸は、ユニット本体１０の中心軸と一致する。
【００２４】
ミドルベース１１Ｍには、コア筒１７が着脱可能となっている。コア筒１７は、ミドルベース１１Ｍ側の端部（後方の端部）である基端部１７ａが貫通孔１５に係止された状態で支持される。コア筒１７は、基端部１７ａが開放され、前方の端部である先端部１７ｂが底部１７ｃにより閉塞された構成である。コア筒１７は、円筒状に形成された側壁部１７ｄを有する。側壁部１７ｄは、メッシュ状であり、複数の微細孔１７ｅを有する。微細孔１７ｅにより、コア筒１７の内部と内筒１６の内部とが連通されている。
【００２５】
ダストボックス１２は、ロアベース１１Ｌに対して着脱可能に取り付けられる。ダストボックス１２は、ロック部１８を介してロアベース１１Ｌに接続される。ロック部１８によりロック状態とすることで、ダストボックス１２が外れないように固定される。ロック部１８のロック状態を解除することにより、ダストボックス１２がロアベース１１Ｌに対して取り外し可能となる。
【００２６】
アタッチメント部２０は、掃除機本体２と、連結管４との間に接続可能である。本実施形態において、アタッチメント部２０は、掃除機本体２の接続管８と、連結管４との間に接続される。アタッチメント部２０は、流路形成管２５を有する。流路形成管２５は、連結管４と、ユニット本体１０と、掃除機本体２との間に空気の流路を形成する。流路形成管２５は、上記の本体側管部（本体側接続部）２１と、連結側接続部２２とを有する。本体側管部２１は、アッパベース１１Ｕと分離可能に設けられる。本体側管部２１は、掃除機本体２の接続管８に挿入されることで、接続管８と接続される。連結側接続部２２は、連結管４の本体側連結部４ａが挿入されることで、連結管４と接続される。
【００２７】
ロック機構３０は、接続管８及び連結管４の少なくとも一方と係合して、アタッチメント部２０の抜けを規制する。本実施形態において、ロック機構３０は、接続管８及び連結管４から流路形成管２５を引き抜く引き抜き方向への移動を規制することにより、アタッチメント部２０の抜けを規制する。図５は、ロック機構３０の一例を示す断面図である。図５では、流路形成管２５の連結側接続部２２の構成を例に挙げて示している。図５に示すように、ロック機構３０は、連結側接続部２２に配置される着脱機構３２を有する。着脱機構３２は、連結管４の本体側連結部４ａに設けられる突起部７と係合可能である。なお、突起部７は、壁部７ａと、凹部７ｂと、係合部７ｃとを有する。壁部７ａは、突起部７の下端であって、後述する位置決め部３２ｄが突き当たる位置に配置される。凹部７ｂは、後述するフック部３２ｆが挿入可能な位置に配置される。係合部７ｃは、凹部７ｂの後側に形成される。係合部７ｃは、後述するフック部３２ｆが係合される。
【００２８】
着脱機構３２は、揺動部材３２ａと、支持部３２ｂと、バネ部材３２ｃと、位置決め部３２ｄと、開口部３２ｅと、フック部３２ｆとを有する。揺動部材３２ａは、前後方向の中央部分が支持部３２ｂにより支持される。揺動部材３２ａは、支持部３２ｂを支点として、前後方向の両端が上下方向に揺動可能である。バネ部材３２ｃは、例えば揺動部材３２ａの後側端部に連結される。バネ部材３２ｃは、揺動部材３２ａの後側端部を上方に押し上げ、前側端部を連結管４に押し付けるように弾性力を付与する。したがって、揺動部材３２ａは、前側端部が連結管４側に押し付けられた状態で支持される。また、揺動部材３２ａは、後側端部をバネ部材３２ｃの弾性力よりも大きな力で下方に押すことにより、後側端部が下方に押し込まれ、前側端部が上方に押し上げられる。
【００２９】
位置決め部３２ｄは、着脱機構３２の下端に配置される。位置決め部３２ｄは、流路形成管２５に挿入される連結管４の突起部７に突き当たることで、着脱機構３２と突起部７とを位置決めする。開口部３２ｅは、位置決め部３２ｄが突起部７に突き当たる位置で、突起部７の凹部７ｂに重なるように配置される。
【００３０】
フック部３２ｆは、揺動部材３２ａの前側端部に配置され、下方に向けて屈曲される。フック部３２ｆは、突起部７の係合部７ｃと係合可能な形状を有する。フック部３２ｆは、開口部３２ｅと凹部７ｂとが連通された状態で、揺動部材３２ａの前側端部が連結管４側に押し付けられることにより、係合部７ｃと係合される。また、フック部３２ｆは、揺動部材３２ａの前側端部が押し上げられることにより、係合部７ｃとの係合状態が解除される。フック部３２ｆが係合部７ｃと係合されることにより、サイクロンユニット１００は、連結管４に対するアタッチメント部２０の抜けが規制される。
【００３１】
また、ロック機構３０は、本体側管部２１に配置される突起部３１を有する。突起部３１は、接続管８に設けられる着脱機構５と係合可能である。突起部３１の構成は、連結管４の本体側連結部４ａに設けられる突起部７の構成と同様である。図５では、突起部７に対応する突起部３１の構成を括弧内に示している。突起部３１は、壁部３１ａと、凹部３１ｂと、係合部３１ｃとを有する。壁部３１ａは、突起部３１の下端であって、後述する位置決め部５ｄが突き当たる位置に配置される。凹部３１ｂは、後述するフック部５ｆが挿入可能な位置に配置される。係合部３１ｃは、凹部３１ｂの後側に形成される。係合部３１ｃは、後述するフック部５ｆが係合される。
【００３２】
なお、着脱機構５の構成は、上記の着脱機構３２の構成と同様である。図５では、着脱機構３２に対応する着脱機構５の構成を括弧内に示している。着脱機構５は、揺動部材５ａと、支持部５ｂと、バネ部材５ｃと、位置決め部５ｄと、開口部５ｅと、フック部５ｆとを有する。揺動部材５ａは、前後方向の中央部分が支持部５ｂにより支持される。揺動部材５ａは、支持部５ｂを支点として、前後方向の両端が上下方向に揺動可能である。バネ部材５ｃは、例えば揺動部材５ａの後側端部に連結される。バネ部材５ｃは、揺動部材５ａの後側端部を上方に押し上げ、前側端部を連結管４に押し付けるように弾性力を付与する。したがって、揺動部材５ａは、前側端部が連結管４側に押し付けられた状態で支持される。また、揺動部材５ａは、後側端部をバネ部材５ｃの弾性力よりも大きな力で下方に押すことにより、後側端部が下方に押し込まれ、前側端部が上方に押し上げられる。
【００３３】
位置決め部５ｄは、着脱機構５の下端に配置される。位置決め部５ｄは、突起部３１の壁部３１ａに突き当たることで、着脱機構５と突起部３１とを位置決めする。開口部５ｅは、位置決め部５ｄが突起部３１の壁部３１ａに突き当たる位置で、凹部３１ｂに重なるように配置される。
【００３４】
フック部５ｆは、揺動部材５ａの前側端部に配置され、下方に向けて屈曲される。フック部５ｆは、突起部３１の係合部３１ｃと係合可能な形状を有する。フック部５ｆは、開口部５ｅと凹部３１ｂとが連通された状態で、揺動部材５ａの前側端部が連結管４側に押し付けられることにより、係合部３１ｃと係合される。また、フック部５ｆは、揺動部材５ａの前側端部が押し上げられることにより、係合部３１ｃとの係合状態が解除される。フック部５ｆが係合部３１ｃと係合されることにより、サイクロンユニット１００は、接続管８に対するアタッチメント部２０の抜けが規制される。
【００３５】
回転機構４０は、ロック機構３０によりアタッチメント部２０の抜けが規制された状態で、所定の中心軸ＡＸの軸回り方向にユニット本体１０を回転可能とする。中心軸ＡＸは、接続管８と本体側管部２１との接続方向（又は引き抜き方向）に沿った軸である。図６は、回転機構４０の一例を示す分解斜視図である。図７は、回転機構４０の一例を示す断面図である。図６及び図７に示すように、回転機構４０は、スリーブ４１と、リング４２と、パッキン４３とを有する。
【００３６】
スリーブ４１は、円筒状であり、前側の端部がハウジング２３に挿入される。スリーブ４１は、周方向の一部に中心軸の軸線方向に沿ったスリット４１ａが設けられる。スリーブ４１は、スリット４１ａが設けられることにより、周方向に変形可能に設けられる。また、スリーブ４１は、外周面に周方向に沿ったテーパー状の突起部４１ｂを有する。突起部４１ｂは、スリーブ４１をハウジング２３に挿入した状態で当該ハウジング２３からはみ出す位置に配置される。突起部４１ｂには、ハウジング２３側から後方（掃除機本体２側）に向けて径が細くなるテーパー面４１ｃが形成される。
【００３７】
リング４２は、円筒状であり、ハウジング２３に装着される。リング４２の内周面には、ネジ部４２ｓが形成される。ネジ部４２ｓは、ハウジング２３の外周面に形成されるネジ部２３ｓとネジ接合される。リング４２は、スリーブ４１がハウジング２３に挿入された状態で、スリーブ４１の外側からハウジング２３に装着される。また、リング４２の内周面には、テーパー面４２ｃが形成される。テーパー面４２ｃは、ネジ部４２ｓよりも後側の部分に配置される。テーパー面４２ｃは、スリーブ４１のテーパー面４１ｃに対向するように、ハウジング側から後方（掃除機本体２側）に向けて径が小さくなっている。
【００３８】
パッキン４３は、環状であり、ハウジング２３に収容される。パッキン４３は、ハウジング２３と、当該ハウジング２３に挿入されるパイプ２４との間を封止する。
【００３９】
図７に示すように、パイプ２４の先端がハウジング２３に挿入された状態で、リング４２のネジ部４２ｓとハウジング２３のネジ部２３ｓとがネジ接合される。これにより、リング４２がハウジング２３側に押し込まれ、テーパー面４２ｃがスリーブ４１のテーパー面４１ｃを押す力が作用する。この力により、スリーブ４１がパイプ２４の外周面に押し付けられ、スリーブ４１とパイプ２４との間に摩擦力が生じる。この摩擦力により、パイプ２４の回転方向への移動が規制される。また、スリーブ４１のテーパー面４１ｃ及びリング４２のテーパー面４２ｃは、それぞれハウジング２３側から後方に向けて径が小さく形成された状態で接触している。このため、リング４２のテーパー面４２ｃにより、スリーブ４１の後方への移動が規制される。よって、パイプ２４の抜けが抑制される。
【００４０】
一方、リング４２のネジ部４２ｓとハウジング２３のネジ部２３ｓとのネジ接合を緩めると、リング４２がハウジング２３から離れる側に移動し、リング４２のテーパー面４２ｃがスリーブ４１のテーパー面４１ｃを押す力が低下する。このため、スリーブ４１とパイプ２４との間の摩擦力が低下する。よって、パイプ２４とハウジング２３とを相対的に回転させることが可能となる。なお、パイプ２４には、上記のロック機構３０の突起部３１が設けられる。また、パイプ２４は、中心軸が上記の中心軸ＡＸに一致するように配置される。したがって、突起部３１を掃除機本体２の接続管８に設けられる着脱機構５と係合した状態で、パイプ２４の中心軸ＡＸを中心としてハウジング２３側を回転させることができる。
【００４１】
上記のように構成された掃除機１は、掃除機本体２のハンドル２ｂのスイッチ２ｂをオンにすると、電動モータが駆動して吸引ファンが回転する。これにより、ノズルヘッド３のヘッドハウジング３ａの吸引口３ｃから空気Ａが吸引され、この吸引された空気Ａが連結管４と連結側接続部２２とを介してロアベース１１Ｌの空気流入部１３に取り込まれる。
【００４２】
取り込まれた空気Ａは、リブ１３ａによってロアベース１１Ｌの内面４２ａに沿った旋回流（渦巻流）となる。このとき、この空気Ａに含まれる塵埃Ｄは、遠心力により空気Ａから分離されダストボックス１２の内周面に沿って自重で下降し、ダストボックス１２に回収される。このようにして、空気Ａからサイクロン作用によって塵埃Ｄが分離される。
【００４３】
塵埃Ｄが分離された空気Ａは、コア筒１７の微細孔１７ｅを通過してアッパベース１１Ｕの空気排出部１４とハウジング２３及びパイプ２４とを介して掃除機本体２の接続管８に排出される。このとき、コア筒１７の微細孔１７ｅを空気Ａが通過するため、サイクロン作用によって分離できない塵埃（髪の毛等の軽い塵埃）についても集塵できる。接続管８に排出された空気Ａは、掃除機本体２に吸引される。この場合、空気Ａ内の塵埃Ｄは掃除機本体２の集塵室のフィルタで集塵される。
【００４４】
ハンドル２ｂのスイッチ２ｂをオフにすると、電動モータが停止し、吸引ファンの回転が停止する。これにより、ノズルヘッド３のヘッドハウジング３ａの吸引口３ｃからの空気Ａの吸引が停止する。空気Ａの吸引を停止した状態でユニット本体１０からダストボックス１２を取り外すことにより、ダストボックス１２内に回収された塵埃Ｄを除去することができる。
【００４５】
以上のように、本実施形態に係るサイクロンユニット１００は、掃除機本体２の吸引力により吸引される塵埃を分離するサイクロンユニット１００であって、掃除機本体２と、掃除機本体２に着脱可能に連結される連結管４との間に接続可能なアタッチメント部２０と、アタッチメント部２０に配置され、掃除機本体２及び連結管４の少なくとも一方と係合してアタッチメント部２０の抜けを規制するロック機構３０とを備える。
【００４６】
この構成によれば、ロック機構３０によって接続管８及び連結管４のうち少なくとも一方とアタッチメント部２０とが係合され、アタッチメント部２０の抜けを規制することができる。これにより、掃除機本体２側から又は連結管４側からの抜けを抑制することが可能となる。
【００４７】
本実施形態に係るサイクロンユニット１００において、ロック機構３０は、突起部３１と、突起部３１に対して係合された状態と突起部３１に対する係合が解除された状態とを切り替え可能な着脱機構３２と、の一方である。この構成により、アタッチメント部２０と接続管８及び連結管４の少なくとも一方とを確実に係合することができる。
【００４８】
本実施形態に係るサイクロンユニット１００において、ロック機構３０によりアタッチメント部２０の抜けが規制された状態で、所定の中心軸ＡＸを中心としてアタッチメント部２０を回転可能とする回転機構４０を更に備える。この構成により、アタッチメント部２０の抜けを規制しつつ、アタッチメント部２０の取り付け方向に自由度を持たせることができる。
【００４９】
本実施形態に係るサイクロンユニット１００において、アタッチメント部２０は、ハウジング２３と、掃除機本体２に接続される一端とハウジング２３に挿入される他端とを有しロック機構３０が配置されるパイプ２４と、を有し、所定の中心軸ＡＸは、パイプ２４の中心軸であり、ハウジング２３は、パイプの中心軸を中心として、パイプ２４に対して回転可能である。これにより、パイプ２４の中心軸を中心とした回転方向にアタッチメント部２０の取り付け位置を調整可能となる。
【００５０】
本実施形態に係るサイクロンユニット１００において、回転機構４０は、円筒状であり、ハウジング２３とパイプ２４との間に配置され、周方向に変形可能となるようにスリット４１ａが形成されたスリーブ４１と、スリーブ４１を囲うようにハウジング２３に装着され、ハウジング２３に装着された状態においてスリーブ４１をパイプ２４側に押し付け可能なリング４２と、を有する。この構成により、スリーブ４１をハウジング２３に装着することで、スリーブ４１をパイプ２４側に押し付けることができる。これにより、スリーブ４１とパイプ２４との間に摩擦力を生じさせ、当該摩擦力を調整することでハウジング２３とパイプ２４との抜けを抑制しつつ、相対的に回転させることが可能となる。
【００５１】
図８は、回転機構の他の例を示す分解斜視図である。図８に示すように、回転機構４０Ａは、ハウジング２３Ａの内面に設けられる凹部４４ａと、パイプ２４Ａの外面に設けられる凸部４４ｂと、パイプ２４Ａの先端に形成されるスリット４５と、Ｃリング４６とを有する。
【００５２】
図９は、ハウジング２３Ａにパイプ２４Ａを装着した状態の一例を示す断面図である。図９に示すように、凹部４４ａは、周方向について４５°ずつ離れた位置に等間隔で配置されている。凸部４４ｂは、周方向について１８０°離れた位置に２つ配置される。パイプ２４Ａでは、凸部４４ｂに対して周方向に９０°ずれた位置にスリット４５が形成されている。なお、凹部４４ａ、凸部４４ｂ及びスリット４５の周方向の配置及び個数については、上記に限定されず、他の配置及び個数であってもよい。
【００５３】
ハウジング２３Ａにパイプ２４Ａを装着した状態において、ハウジング２３Ａの内面に設けられる凹部４４ａが、パイプ２４Ａの外面に設けられる凸部４４ｂに嵌合される。パイプ２４Ａの先端にスリット４５が設けられるため、この状態から例えばハウジング２３Ａとパイプ２４Ａとに対して回転方向に力を加えると、パイプ２４Ａの先端が内側に湾曲するように変形し、凹部４４ａと凸部４４ｂとの嵌合状態が外れる。これにより、凹部４４ａがパイプ２４Ａの外面を押し付けた状態となる。この状態でハウジング２３Ａとパイプ２４Ａとに対して回転方向に力を加えると、凹部４４ａがパイプ２４Ａの外面を摺動しつつ、ハウジング２３Ａとパイプ２４Ａとが相対的に回転する。凹部４４ａ及び凸部４４ｂは、それぞれハウジング２３Ａ及びパイプ２４Ａの周方向に所定の間隔で配置される。このため、ハウジング２３Ａとパイプ２４Ａとを所定の間隔に対応する角度だけ回転させると、再び凹部４４ａと凸部４４ｂとが嵌合する。
【００５４】
また、Ｃリング４６は、ハウジング２３Ａとパイプ２４Ａとの間に装着可能である。ハウジング２３Ａ及びパイプ２４Ａには、それぞれ周方向に複数の貫通孔２３ｈ、２４ｈが設けられる。貫通孔２３ｈ、２４ｈは、凹部４４ａと凸部４４ｂとが嵌合する状態で連通する位置に設けられる。貫通孔２３ｈ、２４ｈのうち、一方が複数設けられ、他方が１つ設けられる構成であってもよい。
【００５５】
Ｃリング４６は、貫通孔２３ｈ、２４ｈを貫通する貫通部４６ａを有する。Ｃリング４６は、貫通部４６ａが貫通孔２３ｈ、２４ｈを貫通した状態で装着される。Ｃリング４６を装着することにより、貫通部４６ａが貫通孔２３ｈ、２４ｈを介してハウジング２３Ａ、２４Ａに係止され、ハウジング２３Ａに対するパイプ２４Ａの抜けが規制される。
【００５６】
このように、パイプ２４Ａの先端を変形させつつ凹部４４ａと凸部４４ｂとを異なる位置で嵌合させることにより、ユニット本体１０の取り付け方向に自由度を持たせることができる。また、凹部４４ａと凸部４４ｂとを嵌合させた状態でＣリング４６を装着することにより、ハウジング２３Ａに対するパイプ２４Ａの抜けが規制される。なお、上記例では、ハウジング２３Ａ側に凹部４４ａ、パイプ２４Ａ側に凸部４４ｂを設ける構成としたが、これに限定されない。ハウジング２３Ａ側に凹部、パイプ２４Ａ側に凸部を設ける構成であってもよい。
【００５７】
図１０は、回転機構の他の例を示す分解斜視図である。図１０に示すように、回転機構４０Ｂは、ハウジング２３Ｂの内面において周方向に複数設けられる凹部４７ａと、パイプ２４Ｂの外面において周方向に複数設けられる凸部４７ｂと、パイプ２４Ｂの先端に形成されるスリット４８と、パイプ２４Ｂの先端に形成される係止部４９とを有する。
【００５８】
ハウジング２３Ｂの凹部４７ａ、パイプ２４Ｂの凸部４７ｂ、及びスリット４８の構成については、上記の凹部４４ａ、凸部４４ｂ、スリット４５と同様である。回転機構４０Ｂは、ハウジング２３Ｂに対するパイプ２４Ｂの抜けを規制する構成が上記の回転機構４０Ａとは異なっている。
【００５９】
図１１は、回転機構４０Ｂを示す断面図である。図１１に示すように、係止部４９は、パイプ２４Ｂをハウジング２３Ｂに装着した状態で、ハウジング２３Ｂの一部に係止される。図１０及び図１１に示す例では、係止部４９が凸部であり、ハウジング２３Ｂの段部２３ｇに係止される構成であるが、これに限定されない。なお、ハウジング２３Ｂとパイプ２４Ｂとの間に、シール部材４３Ｂを配置してもよい。
【００６０】
この構成においても、パイプ２４Ｂの先端を変形させつつ凹部４７ａと凸部４７ｂとを異なる位置で嵌合させることにより、ユニット本体１０の取り付け方向に自由度を持たせることができる。また、係止部４９によりハウジング２３Ｂに対するパイプ２４Ｂの抜けを規制することができる。なお、上記例では、ハウジング２３Ｂ側に凹部４７ａ、パイプ２４Ｂ側に凸部４７ｂを設ける構成としたが、これに限定されない。ハウジング２３Ｂ側に凹部、パイプ２４Ｂ側に凸部を設ける構成であってもよい。
【００６１】
図１２は、サイクロンユニットの他の例を示す斜視図である。図１２に示すサイクロンユニット１００Ｃは、回転機構４０Ｃとして、ロック機構３０が所定の中心軸ＡＸを中心とする円周方向に複数配置された構成である。つまり、ロック機構３０は、本体側管部２１の周方向の複数の位置に配置された構成である。図１２では、突起部３１が本体側管部２１において周方向の２箇所の位置に配置される。２箇所の突起部３１は、周方向の反対側に配置される。この構成により、掃除機本体２の接続管８に設けられる着脱機構５が、２箇所の突起部３１に接続可能である。このため、着脱機構５の接続先となる突起部３１を変更することにより、ユニット本体１０の取り付け方向に自由度を持たせることができる。なお、突起部３１は、３つ以上配置されてもよい。また、複数の突起部３１の周方向の間隔は、等間隔でなくてもよい。
【００６２】
図１３は、サイクロンユニットの他の例を示す斜視図である。図１３に示すサイクロンユニット１００Ｄは、ロック機構３０を有するが、回転機構を有していない構成である。このようにロック機構３０を有する構成とすることにより、掃除機本体２側から又は連結管４側からの抜けを確実に抑制することができる。
【符号の説明】
【００６３】
Ａ…空気、Ｄ…塵埃、ＡＸ…軸、１…掃除機、２…掃除機本体、２ａ，２ｂ…ハンドル、２ｃ…バッテリ装着部、２ｄ…バッテリ、３…ノズルヘッド、３ａ…ヘッドハウジング、３ｂ，８…接続管、３ｃ…吸引口、４…連結管、４ａ…本体側連結部、４ｂ…ノズル側連結部、５，３２…着脱機構、５ａ，３２ａ…揺動部材、５ｂ，３２ｂ…支持部、５ｃ，３２ｃ…バネ部材、５ｄ，３２ｄ…位置決め部、５ｅ，３２ｅ…開口部、５ｆ，３２ｆ…フック部、７，３１，４１ｂ…突起部、７ａ，３１ａ…壁部、７ｂ，３１ｂ，４４ａ，４７ａ…凹部、７ｃ，３１ｃ…係合部、１０…ユニット本体、１１…ベース部、１１Ｌ…ロアベース、１１Ｍ…ミドルベース、１１Ｕ…アッパベース、１２…ダストボックス、１３…空気流入部、１３ａ…リブ、１４…空気排出部、１５，２３ｈ，２４ｈ…貫通孔、１６…内筒、１７…コア筒、１７ａ…基端部、１７ｂ…先端部、１７ｃ…底部、１７ｄ…側壁部、１７ｅ…微細孔、１８…ロック部、２０…アタッチメント部、２１…本体側管部、２２…連結側接続部、２３，２３Ａ，２３Ｂ…ハウジング、２３ｇ…段部、２３ｓ，４２ｓ…ネジ部、２４，２４Ａ，２４Ｂ…パイプ、２５…流路形成管、３０…ロック機構、４０，４０Ａ，４０Ｂ，４０Ｃ…回転機構、４１…スリーブ、４１ａ，４５，４８…スリット、４１ｃ，４２ｃ…テーパー面、４２…リング、４２ａ…内面、４３…パッキン、４４ｂ，４７ｂ…凸部、４６…Ｃリング、４６ａ…貫通部、４９…係止部、１００，１００Ｃ，１００Ｄ…サイクロンユニット
【図１】
2020116184.tif 000003
【図２】
2020116184.tif 000004
【図３】
2020116184.tif 000005
【図４】
2020116184.tif 000006
【図５】
2020116184.tif 000007
【図６】
2020116184.tif 000008
【図７】
2020116184.tif 000009
【図８】
2020116184.tif 000010
【図９】
2020116184.tif 000011
【図１０】
2020116184.tif 000012
【図１１】
2020116184.tif 000013
【図１２】
2020116184.tif 000014
【図１３】
2020116184.tif 000015